(57)【要約】【課題】多機能の携帯電源装置を提供する。【解決手段】電源管理モジュール１０、電池モジュール２０、充電入力モジュール３０、放電出力モジュール４０、無線電受信モジュール５０、及び音声放送モジュール６０が設けられている本体を備える。電池モジュール２０は、電源管理モジュール１０に電気的に接続される。充電入力モジュール３０は、外部充電源に接続される事で電池モジュール２０に対し充電を行う。放電出力モジュール４０は、電源管理モジュール１０に電気的に接続され、電池モジュール２０の電力を外部に向け出力する。無線電受信モジュール５０は、電源管理モジュール１０に電気的に接続される。【選択図】図３
0003185592.tif 000002
【実用新案登録請求の範囲】
【請求項１】
電源管理モジュールと、
前記電源管理モジュールに電気的に接続されている電池モジュールと、
外部充電源に接続されていると共に前記電池モジュールに対し充電を行う充電入力モジュールと、
前記電源管理モジュールに電気的に接続されていると共に前記電池モジュールの電力を外部に出力する放電出力モジュールと、
前記電源管理モジュールに電気的に接続されている無線電受信モジュールと、
前記電源管理モジュールに電気的に接続されており、前記無線電受信モジュールが受信した音声信号を放送する音声放送モジュールと、を有する本体を備えることを特徴とする多機能の携帯電源装置。
【請求項２】
前記充電入力モジュールは、太陽光エネルギー電池板に電気的に接続されている第一電源孔、補助電池に電気的に接続されている第二電源孔、及び車のシガーライタに電気的に接続されている車用の充電孔を有することを特徴とする請求項１に記載の多機能の携帯電源装置。
【請求項３】
前記放電出力モジュールは、前記本体の一端に設置されている第一接続孔を有する商用電源インターフェース、および、前記第一接続孔の一側辺に設置されていると共に前記商用電源インターフェースのＯＮ／ＯＦＦを制御するスイッチユニットを有し、
前記放電出力モジュールは、前記本体の一端に設置されている第二接続孔を有するＵＳＢインターフェースを有することを特徴とする請求項１に記載の多機能の携帯電源装置。  
【考案の詳細な説明】
【技術分野】
【０００１】
本考案は、携帯電源装置に関し、多機能の携帯電源装置に関する。
【背景技術】
【０００２】
普通の携帯電源装置は救難、緊急援助、キャンプや野外での商業活動等に主に使用される。
【考案の概要】
【考案が解決しようとする課題】
【０００３】
しかしながら、従来の技術では、ディーゼルオイルやガソリンを用いた発電機を充電源とするため体積が大きい上に重量もあり運輸には適さず、また携帯燃料を別付けして補充する必要があり、運用時には騒音や排気ガスが発生するため不便であった。さらに、燃料を持続的に補充出来ない場合、ディーゼルオイルまたはガソリン発電機は、携帯電源に対する充電を行うことができない。また、燃料コストが高いので、現在の需要に合わない。このほか、野外活動ではＡＭ／ＦＭラジオから情報を取得するが、特に救難や露店等の商業活動に於いては、従来の携帯電源のラジオはラジオ局からの情報を取得する必要がある。従来の携帯電源の機能はユーザーの実際の需要を満たしておらず実用性が不足している。
【０００４】
本考案は、このような従来の問題に鑑みてなされたものである。本考案は、多機能の携帯電源装置を提供することを目的とする。
【課題を解決するための手段】
【０００５】
上述した課題を解決するために、本考案に係る携帯電源装置は電源管理モジュール、電池モジュール、充電入力モジュール、充電入力モジュール、放電出力モジュール、無線電受信モジュール、および、無線電受信モジュール有する本体を備える。電池モジュールは電源管理モジュールに電気的に接続される。充電入力モジュールは、外部充電源に接続されると共に電池モジュールに対し充電を行う。放電出力モジュールは、電源管理モジュールに電気的に接続されると共に電池モジュールの電力を外部に向け出力する。無線電受信モジュールは、電源管理モジュールに電気的に接続される。音声放送モジュールは、電源管理モジュールに電気的に接続され、無線電受信モジュールが受信した音声信号を放送する。
【考案の効果】
【０００６】
これにより、充電入力モジュールを用いて太陽光エネルギー電池板、補助電池、或いは車に接続して充電を行い、無線電受信モジュールによりＡＭ／ＦＭラジオ放送を受信し、実用性を高めることができる。
【図面の簡単な説明】
【０００７】
【図１】本考案の一実施形態による携帯電源装置を示す模式図である。
【図２】本考案の一実施形態による携帯電源装置を示す模式図である。
【図３】本考案の一実施形態による携帯電源装置を示すブロック図である。
【図４】本考案の一実施形態による携帯電源装置を示すブロック図である。
【図５】本考案の一実施形態による携帯電源装置の応用例を示す模式図である。
【図６】本考案の一実施形態による携帯電源装置の応用例を示す模式図である。
【考案を実施するための形態】
【０００８】
以下に図面を参照して、本考案の実施形態について、詳細に説明する。なお、本考案は、以下の実施形態に限定されるものではない。
（一実施形態）
本考案の一実施形態の構成を図１から図４に示す。本実施形態による携帯電源装置は、電源管理モジュール１０、電池モジュール２０、充電入力モジュール３０、放電出力モジュール４０、無線電受信モジュール５０、及び音声放送モジュール６０が設けられている本体１００を備える。
【０００９】
電池モジュール２０は、電源管理モジュール１０に電気的に接続されると共に電源管理モジュール１０による制御を受けて管理され、電池モジュール２０の電量を計測し、特に電池モジュール２０の電量が１０％以下の場合、電池モジュール２０の充電或いは放電動作を停止させて電池モジュール２０を保護させて損壊を防ぐ。電池モジュール２０はリン酸鉄リチウムイオン電池モジュールであって、リン酸鉄リチウムイオン（LiFePO4）は正極材料であり、充放電性が好ましく、安全性も高く、重金属成分を使用しないため環境保護にも適合する等の特性を有する。
【００１０】
充電入力モジュール３０は、外部充電源に接続される事で電池モジュール２０に対し充電を行う。充電入力モジュール３０は、各自本体１００の一端に設置される第一電源孔３１、第二電源孔３２、及び車用の充電孔３３を有する。
【００１１】
放電出力モジュール４０は、電源管理モジュール１０に電気的に接続され、電池モジュール２０の電力を外部に向け出力する。放電出力モジュール４０は商用電源インターフェース４１及びＵＳＢインターフェース４２を備え、商用電源インターフェース４１は本体１００の他端に対応して設置される第一接続孔４３を有し、第一接続孔４３の側辺には商用電源インターフェース４１のＯＮ／ＯＦＦを制御するスイッチユニット４４を有し、ＵＳＢインターフェース４２は第一接続孔４３の一方に設置される第二接続孔４５を有する。
【００１２】
無線電受信モジュール５０は、電源管理モジュール１０に電気的に接続されると共にＡＭ／ＦＭラジオを受信させ、無線電受信モジュール５０には本体１００の他端に対応するＯＮ／ＯＦＦユニット５１及び表示ユニット５２が設けられる。
音声放送モジュール６０は電源管理モジュール１０に電気的に接続され、音声放送モジュール６０は
本体１００の他端に対応すると共に２つのスピーカー６１が設置されて無線電受信モジュール５０が受信した音声信号を放送する。
【００１３】
本体１００の第一電源孔３１、第二電源孔３２、及び車用の充電孔３３の一方には充電時に発生する高温を外へ放出する放熱ファン７０を有し、本体１００内の各部材の正常な動作を維持させて熱による損壊を防ぐ。
【００１４】
図５は、本実施形態の携帯電源装置を各種の電気設備に搭載する応用例を示す模式図である。第一接続孔４３により灯具２００等の電化製品を本体１００に電気的に接続させ、野外の照明やノートパソコン３００の充電等に使用させ、或いは、第二接続孔４５によりＵＳＢ接続ポートのある携帯電話４００等に接続させ野外での充電に用いられる。このほか、本体１００のＯＮ／ＯＦＦユニット５１によりラジオ機能を起動させてＡＭ／ＦＭラジオを受信させ、野外でラジオからの情報を随時取得可能になる。このように、本実施形態は救難、緊急援助、キャンプ、或いは野外での商業活動等に使用される。
【００１５】
図６は、本実施形態の携帯電源装置を外部の充電電源に搭載する応用例を示す模式図である。第一電源孔３１は電源線が太陽光エネルギー電池板５００に接続されることで太陽光エネルギー電池板５００が本体１００に対し充電を行う。太陽光発電による充電のため環境保護に優れ且つ低コストであり、また太陽光エネルギー電池板５００は折り畳み機能を具備するため、従来の発電機に比べ携帯性が高く、本体１００に対する充電機能を達成する。第一電源孔３１は電源線がＡＣ充電器に接続されることで本体１００に対し充電を行う。このほか、第二電源孔３２は電源線が補助電池６００に直列に接続されて電力の補充を行う。また、車用の充電孔３３は車７００のシガーライタに接続され、車７００の動力により充電を行うことで野外での電源の確保が便利になる。このように、本実施形態は救難、緊急援助、キャンプ、或いは野外での商業活動等の野外での使用に非常に適していると言える。
【００１６】
以上の通りに、本実施形態の携帯電源装置はラジオ機能を有すると共に太陽光エネルギー電池板、補助電池、或いは車により電池モジュールに対し充電を行わせ、燃料を使用しての充電の必要がなく、環境保護に優れ低コストであるといった効果を有する。
【００１７】
さらに、本実施形態の電源管理モジュールは電池モジュールの電量を計測し、電池モジュールの電量が１０％以下の場合は電池モジュールの充電或いは放電動作を停止させ、電池モジュールを保護させて電池モジュールの損壊を防ぐ。
【００１８】
以上、本実施形態はこのような実施形態に限定されるものではなく、考案の趣旨を逸脱しない範囲において、種々の形態で実施することができる。
【符号の説明】
【００１９】
１００・・・本体、
２００・・・灯具、
３００・・・ノートパソコン、
４００・・・携帯電話、
５００・・・太陽光エネルギー電池板、
６００・・・補助電池、
７００・・・車、
１０・・・電源管理モジュール、
２０・・・電池モジュール、
３０・・・充電入力モジュール、
３１・・・第一電源孔、
３２・・・第二電源孔、
３３・・・車用の充電孔、
４０・・・放電出力モジュール、
４１・・・商用電源インターフェース、
４２・・・ＵＳＢインターフェース、
４３・・・第一接続孔、
４４・・・スイッチユニット、
４５・・・第二接続孔、
５０・・・無線電受信モジュール、
５１・・・ＯＮ／ＯＦＦユニット、
５２・・・表示ユニット、
６０・・・音声放送モジュール、
６１・・・スピーカー、
７０・・・放熱ファン。
【図１】
0003185592.tif 000003
【図２】
0003185592.tif 000004
【図３】
0003185592.tif 000005
【図４】
0003185592.tif 000006
【図５】
0003185592.tif 000007
【図６】
0003185592.tif 000008